【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
画像生成要求を受信するステップであって、前記画像生成要求は生成待ち画像の画像形式を備える、前記受信するステップ（Ｓ２１０）と；
前記画像生成要求に基づいて、対応する静止画像を取得するステップ（Ｓ２２０）と；
前記画像形式に基づいて、前記生成待ち画像の複数のサブ生成待ち画像を特定するステップ（Ｓ２３０）と；
各サブ生成待ち画像の記述情報を取得し、前記記述情報に基づいて、前記複数のサブ生成待ち画像をソートするステップ（Ｓ２４０）と；
ソートされた前記複数のサブ生成待ち画像における第１のサブ生成待ち画像の記述情報、所定の画像生成アルゴリズム、及び前記静止画像に基づいて、前記第１のサブ画像を生成するステップ（Ｓ２５０）と；
前記第１のサブ画像を前処理し、前記画像形式を満たす画像ファイルに、前処理された前記第１のサブ画像を追加するステップ（Ｓ２６０）と；
前記第１のサブ画像を生成し、前処理し、追加する方法に基づいて、前記生成待ち画像が取得されるまで、ソートされた前記複数のサブ生成待ち画像における他のサブ生成待ち画像を生成し、前処理し、及び追加する操作を順次実行するステップ（Ｓ２７０）と；を備える、
画像生成方法。
【請求項２】
前記記述情報は、前記サブ生成待ち画像内に含まれる画素数と、前記サブ生成待ち画像内の各画素の位置情報とを備える、
請求項１に記載の画像生成方法。
【請求項３】
第１のサブ生成待ち画像の記述情報、所定の画像生成アルゴリズム、及び前記静止画像に基づいて、前記第１のサブ画像を生成する前記ステップは：
前記第１のサブ生成待ち画像の前記記述情報に基づいて、前記第１のサブ生成待ち画像における第１の画素の位置情報を読み出すステップと；
前記位置情報に基づいて前記静止画像内の対応する位置の画素を読み出すステップと；
対応する位置の前記画素と前記所定の画像生成アルゴリズムとに基づいて第１の画素を特定するステップであって、前記第１のサブ画像を生成するために、前記第１のサブ生成待ち画像内の各画素が特定されるまで行う、前記特定するステップと；を備える、
請求項１又は請求項２に記載の画像生成方法。
【請求項４】
前記静止画像は、前景画像及び／又は背景画像を備え、
前記位置情報に基づいて前記静止画像内の対応する位置の画素を読み出し、対応する位置の前記画素と前記所定の画像生成アルゴリズムとに基づいて第１の画素を特定する前記ステップは：
前記位置情報に基づいて前記前景画像内で対応する位置の前景画素を読み出し、前記前景画素を前記第１の画素として用いるステップ；又は、
前記位置情報に基づいて前記背景画像内で対応する位置の背景画素を読み出し、前記背景画素を前記第１の画素として用いるステップ；又は、
前記位置情報に基づいて前記前景画像内で対応する位置の前景画素を読み出し、前記位置情報に基づいて前記背景画像内で対応する位置の背景画素を読み出し、前記前景画素と前記背景画素との組み合わせを前記第１の画素として用いるステップ；を備える、
請求項３に記載の画像生成方法。
【請求項５】
前記画像生成要求は、ユーザ情報を更に備え、
第１のサブ生成待ち画像の記述情報、所定の画像生成アルゴリズム、及び前記静止画像に基づいて、前記第１のサブ画像を生成する前記ステップは：
前記ユーザ情報に基づいて２Ｄコード情報を生成するステップと；
前記第１のサブ生成待ち画像の記述情報、前記所定の画像生成アルゴリズム、前記静止画像、及び前記２Ｄコード情報に基づいて前記第１のサブ画像を生成するステップと；を備える、
請求項１乃至請求項４のいずれか１項に記載の画像生成方法。
【請求項６】
前記画像形式は、複数のグリッドを定義し、
前記複数のサブ生成待ち画像をソートするステップは、前記複数のグリッドにおける各グリッドの位置に基づく、
請求項１乃至請求項５のいずれか１項に記載の画像生成方法。
【請求項７】
前記画像形式は、画像を符号化し、圧縮する方法に対応する、
請求項１乃至請求項６のいずれか１項に記載の画像生成方法。
【請求項８】
前記第１のサブ画像を前処理するステップは、画像のセキュリティ情報及び完全性情報をチェックするステップを備える、
請求項１乃至請求項６のいずれか１項に記載の画像生成方法。
【請求項９】
請求項１乃至請求項８のいずれか１項に記載の方法を実行するように構成された、複数のモジュールを備える、
画像生成デバイス。
【手続補正２】
【補正対象書類名】明細書
【補正対象項目名】００６９
【補正方法】変更
【補正の内容】
【００６９】
記載された特定の実施において、本願の目的、技術的解決策、及び利点が更に詳細に記載されている。記載は本願の単なる特定の実施であり、本願の保護範囲を限定することを意図するものではないことを理解されたい。本願の精神及び原理から逸脱することなくなされたいかなる修正、均等物の置換、又は改良も本願の保護範囲内に入るべきものである。
［第１の局面］
生成待ち画像の画像形式を含む画像生成要求を受信するステップと；
受信された前記画像生成要求に基づいて、対応する静止画像を取得するステップと；
前記画像形式に基づいて、前記生成待ち画像の複数のサブ生成待ち画像を特定するステップと；
各サブ生成待ち画像の記述情報を取得し、前記記述情報に基づいて、複数のサブ生成待ち画像をソートするステップと；
ソートされた前記複数のサブ生成待ち画像における第１のサブ生成待ち画像の記述情報、所定の画像生成アルゴリズム、及び前記静止画像に基づいて、第１のサブ画像を生成するステップと；
前記第１のサブ画像を前処理し、前記画像形式を満たす画像ファイルに、前処理された前記第１のサブ画像を追加するステップと；
前記生成待ち画像が取得されるまで、前記第１のサブ画像を生成し、前処理し、追加する方法に基づいて、ソートされた前記複数のサブ生成待ち画像における他のサブ生成待ち画像を生成し、前処理し、及び追加する操作を順次実行するステップと；を備える、
画像生成方法。
［第２の局面］
前記記述情報は、前記サブ生成待ち画像内に含まれる画素数と、前記サブ生成待ち画像内の各画素の位置情報とを備える、
第１の局面に記載の画像生成方法。
［第３の局面］
第１のサブ生成待ち画像の記述情報、所定の画像生成アルゴリズム、及び前記静止画像に基づいて前記第１のサブ画像を生成する前記ステップは：
前記第１のサブ生成待ち画像の前記記述情報に基づいて、前記第１のサブ生成待ち画像における第１の画素の位置情報を読み出すステップと；
前記位置情報に基づいて前記静止画像内で対応する位置の画素を読み出すステップと；
対応する位置の前記画素と前記所定の画像生成アルゴリズムとに基づいて第１の画素を特定するなどを、前記第１のサブ生成待ち画像内の各画素が特定されるまで行い、前記第１のサブ画像を生成するステップと；を備える、
第１の局面又は第２の局面に記載の画像生成方法。
［第４の局面］
前記静止画像は前景画像及び／又は背景画像を備え；
前記位置情報に基づいて前記静止画像内の対応する位置で画素を読み出し、前記対応する位置の前記画素と前記所定の画像生成アルゴリズムとに基づいて第１の画素を特定する前記ステップは：
前記位置情報に基づいて前記前景画像内で対応する位置の前景画素を読み出し、前記前景画素を前記第１の画素として用いるステップ；又は、
前記位置情報に基づいて前記背景画像内で対応する位置の背景画素を読み出し、前記背景画素を前記第１の画素として用いるステップ；又は、
前記位置情報に基づいて前記前景画像内で対応する位置の前景画素を読み出し、前記位置情報に基づいて前記背景画像内で対応する位置の背景画素を読み出し、前記前景画素と前記背景画素との組み合わせを前記第１の画素として用いるステップ；である、
第３の局面に記載の画像生成方法。
［第５の局面］
前記画像生成要求は、ユーザ情報を更に含み；
前記第１のサブ生成待ち画像の記述情報、前記所定の画像生成アルゴリズム、及び前記静止画像に基づいて前記第１のサブ画像を生成する前記ステップは：
前記ユーザ情報に基づいて２Ｄコード情報を生成するステップ；及び、
前記第１のサブ生成待ち画像の記述情報、前記所定の画像生成アルゴリズム、前記静止画像、及び前記２Ｄコード情報に基づいて前記第１のサブ画像を生成するステップ；である、
第１の局面乃至第４の局面のいずれか１項に記載の画像生成方法。
［第６の局面］
生成待ち画像の画像形式を含む画像生成要求を受信するよう構成された受信ユニットと；
前記受信ユニットによって受信された前記画像生成要求に基づいて、対応する静止画像を取得するよう構成された取得ユニットと；
前記画像形式に基づいて前記生成待ち画像の複数のサブ生成待ち画像を特定するよう構成された特定ユニットと；
前記特定ユニットによって特定された各サブ生成待ち画像の記述情報を取得し、前記記述情報に基づいて前記複数のサブ生成待ち画像をソートするよう構成されたソートユニットと；
前記ソートユニットによりソートされた前記複数のサブ生成待ち画像における前記第１のサブ生成待ち画像の記述情報、所定の画像生成アルゴリズム、及び前記静止画像に基づいて、前記第１のサブ画像を生成するよう構成された生成ユニットと；
前記生成ユニットにより生成された前記第１のサブ画像を前処理し、前記前処理された第１のサブ画像を、前記画像形式を満たす画像ファイルに追加するよう構成された前処理ユニットと；を備え、
前記取得ユニットは、前記生成待ち画像が取得されるまで、前記第１のサブ画像を生成し、前処理し、追加する方法に基づいて、前記複数のソートされたサブ生成待ち画像において他のサブ生成待ち画像を生成し、前処理し、及び追加する操作を順次行うよう更に構成された、
画像生成デバイス。
［第７の局面］
前記記述情報は、前記サブ生成待ち画像内に含まれる画素数と、前記サブ生成待ち画像内の各画素の位置情報とを備える、
第６の局面に記載の画像生成デバイス。
［第８の局面］
前記生成ユニットは：
前記第１のサブ生成待ち画像の前記記述情報に基づいて前記第１のサブ生成待ち画像において第１の画素の位置情報を読み出すよう；
前記位置情報に基づいて前記静止画像において対応する位置の画素を読み出すよう；及び、
前記対応する位置の前記画素と、前記所定の画像生成アルゴリズムとに基づいて第１の画素を特定するなどを、前記第１のサブ生成待ち画像における各画素が特定されるまで行い、前記第１のサブ画像を生成するよう；構成された、
第６の局面又は第７の局面に記載の画像生成デバイス。
［第９の局面］
前記静止画像は前景画像及び／又は背景画像を備え；
前記位置情報に基づいて前記静止画像において対応する位置の画素を読み出し、前記対応する位置の前記画素と前記所定の画像生成アルゴリズムとに基づいて前記第１の画素を特定することは：
前記位置情報に基づいて前記前景画像における対応する位置で前景画素を読み出し、前記前景画素を前記第１の画素として用いること；又は、
前記位置情報に基づいて前記背景画像における対応する位置の背景画素を読み出し、前記背景画素を前記第１の画素として用いること；又は
前記位置情報に基づいて前記前景画像における対応する位置で前景画素を読み出し、前記位置情報に基づいて前記背景画像における対応する位置の背景画素を読み出し、前記前景画素と前記背景画素との組み合わせを前記第１の画素として用いること；である、
第８の局面に記載の画像生成デバイス。
［第１０の局面］
前記画像生成要求は、ユーザ情報を更に含み；
前記生成ユニットは：
前記ユーザ情報に基づいて２Ｄコード情報を生成するよう；及び、
前記第１のサブ生成待ち画像の記述情報、前記所定の画像生成アルゴリズム、前記静止画像、及び前記２Ｄコード情報に基づいて前記第１のサブ画像を生成するよう更に構成された、
第６の局面乃至第９の局面のいずれか１項に記載の画像生成デバイス。